(57)【要約】  本発明の課題は、電子回路の故障等に起因する過電流を高い精度と応答性で検出し、かつ、異常検出に必要な消費電力を削減することができる携帯電子機器および異常検出回路を提供することである。  機能部（１１）の機能モードの切り替え後の一定期間、電流異常の検出周期を短くすることで、機能モード切り替え後の電流異常に対する応答性を高めると共に、一定期間内に電流異常が検出されない場合には周期を長くして、電流異常の検出に必要な消費電力を削減することを可能とした。
2012081242.tif 000002
【特許請求の範囲】
【請求項１】
第１及び第２モードで動作する機能部と、
前記機能部に供給される電流を測定する電流測定部と、
第１周期、前記第１周期より短い第２周期、又は前記第２周期より長い第３周期で前記電流を確認し、電流異常として検出する異常検出部と、
を備え、
前記機能部が前記第１モードで動作する場合、前記異常検出部は前記第１周期で前記電流を確認し、
次に、前記機能部が前記第１モードから前記第２モードへ切り替わる場合、前記異常検出部は前記第２周期で前記電流を確認し、
前記モードが切り替わってから所定の期間、前記異常検出部が前記電流異常を検出しない場合、前記異常検出部は前記第３周期で前記電流を確認する携帯電子機器。
【請求項２】
請求項１に記載の携帯電子機器であって、
前記モードが切り替わってから前記所定の期間に、前記異常検出部が前記電流異常を検出する場合、前記異常検出部は、継続して前記第２周期で前記電流を確認する携帯電子機器。
【請求項３】
請求項２に記載の携帯電子機器であって、
前記所定の期間を、第１の期間とし、
前記モードが切り替わってから前記第１の期間に、前記異常検出部が前記電流異常を検出した後に、前記異常検出部が継続して前期第２周期で前記電流を確認し、
その後、前記異常検出部が、第２の期間以上継続的に前記電流異常を検出しない場合、前記異常検出部は前記第３周期で前記電流を確認する携帯電子機器。
【請求項４】
請求項１から請求項３のいずれか１項に記載の携帯電子機器であって、
前記機能部が前記第１モードから第２モードへ切り替わるのは、
前記携帯電子機器の電源のオン／オフである携帯電子機器。
【請求項５】
請求項１から請求項３のいずれか１項に記載の携帯電子機器であって、
前記機能部は、表示部、カメラ部、音声入出力部、ネットワーク接続部の少なくとも１つを備え、
前記機能部が前記第１モードから第２モードへ切り替わるのは、
前記表示部、前記カメラ部、前記音声入出力部、前記ネットワーク接続部の動作状態の変化である携帯電子機器。
【請求項６】
請求項１から請求項５のいずれか１項に記載の携帯電子機器であって、
前記電流異常は、前記電流が所定の閾値より大きい携帯電子機器。
【請求項７】
請求項１から請求項６のいずれか１項に記載の携帯電子機器であって、
前記機能部に供給される電流を制限可能なスイッチを備え、
前記異常検出部が電流異常を検出した場合に、前記スイッチにより前記電流を制限する携帯電子機器。
【請求項８】
請求項１から請求項６のいずれか１項に記載の携帯電子機器であって、
前記機能部は、前記第１及び第２モードに加え、前記第２モードよりも消費電流の小さい第３モードで動作し、
前記異常検出部が前記電流異常を検出した場合、前記機能部は前記第３モードに切り替わる携帯電子機器。
【請求項９】
請求項１から請求項６のいずれか１項に記載の携帯電子機器であって、
前記機能部は、表示部又は／及び音出力部を備え、
前記異常検出部が前記電流異常を検出した場合、
前記表示部又は／及び前記音出力部は、異常を報知する携帯電子機器。
【請求項１０】
請求項１から請求項９のいずれか１項に記載の携帯電子機器であって、
前記異常検出部が前記電流異常を検出した場合、
前記電流異常の状態を、日時と共に保存する異常状態保存部を備える携帯電子機器。
【請求項１１】
請求項１から請求項１０のいずれか１項に記載の携帯電子機器であって、
電池を備え、
前記機能部に供給される電流は、前記電池より供給される携帯電子機器。
【請求項１２】
第１及び第２モードで動作する外部の機能部および、
前記機能部に供給される電流を測定する電流測定部に接続可能であり、前記機能部よりモードの状態が入力されるモード入力部と、
前記電流測定部により測定された電流値が入力される電流入力部と、
第１周期、前記第１周期より短い第２周期、又は前記第２周期より長い第３周期で前記電流を確認し、電流異常として検出する異常検出部と、
を備え、
前記機能部が前記第１モードで動作する場合、前記異常検出部は前記第１周期で前記電流を確認し、
次に、前記機能部が前記第１モードから前記第２モードへ切り替わる場合、前記異常検出部は前記第２周期で前記電流を確認し、
前記モードが切り替わってから所定の期間、前記異常検出部が前記電流異常を検出しない場合、前記異常検出部は前記第３周期で前記電流を確認する携帯電子機器用の異常検出回路。
【請求項１３】
第１及び第２モードで動作する機能部と、
前記機能部に供給される電流を測定する電流測定部と、
第１周期、又は前記第１周期より短い第２周期で前記電流を確認し、前記電流が所定の値以上の場合、電流異常として検出する異常検出部と、
を備え、
前記機能部が前記第１モードで動作する場合、前記異常検出部は前記第１周期で前記電流を確認し、
次に、前記機能部が前記第１モードから前記第２モードへ切り替わる場合、前記異常検出部は前記第２周期で前記電流を確認する携帯電子機器。
【発明の詳細な説明】
【技術分野】
【０００１】
本発明は、携帯電子機器に備わる電子回路の故障等のため過剰な電流が流れて発熱や故障が進行するのを防止するための異常検出回路および、異常検出回路を備える携帯電子機器に関するものである。
【背景技術】
【０００２】
携帯電子機器に備わる電子回路の故障、制御不具合等の異常のため、携帯電子機器内の回路に過剰な電流が流れ、危険な発熱を引き起こす場合がある。しかし、これらの異常を検出するために何らかの異常検出回路を用いて状態を常時監視しようとすると、異常検出回路の動作によって消費電力が増加してしまう。【０００３】
状態監視の消費電力を削減する従来技術としては、所定のサンプリング周期で放電電流の取得や演算を行う携帯機器において、サンプリング周期を機器の電源オン／オフの状態に応じて電源オン中は短く、電源オフ中は長く設定して消費電流の変動が少ない電源オフ中の電力消費を抑えるもの（特許文献１）や、電気自動車の電池管理において、キースイッチオフ時の監視周期を、キースイッチをオフした直後から一定期間の電池の端子電圧変動が多い間、もしくは端子電圧変化の激しいときはキースイッチオン時と同様の短い周期で、一定期間経過後もしくは端子電圧変化の緩やかなときはより長い周期で電池監視を行い、一定期間経過後の監視動作の電力消費を抑えるもの（特許文献２）等がある。【０００４】
過去の機器では、これらの技術により、電流や電池等の状態監視における消費電力削減を図っていた。
【先行技術文献】
【特許文献】
【０００５】
【特許文献１】日本国特開２００８−２７８７４５号公報
【特許文献２】日本国特開平８−１４０２０８号公報
【発明の概要】
【発明が解決しようとする課題】
【０００６】
携帯電子機器の異常検出回路は、異常検出の精度および応答性が高いことと共に、異常検出動作に必要な消費電力が少ないことが非常に重要である。【０００７】
消費電力を抑えるためには、異常検出動作を所定のサンプリング周期を用いて周期的に実施することが考えられる。周期を短くすると異常検出の応答性が良くなるが消費電力が高くなり、逆に周期を長くすると応答性が悪くなるが消費電力が低くなる。異常検出の応答性と消費電力のトレードオフとなるため、この点を考慮しながら周期の調整を行う必要がある。【０００８】
一方、故障等の異常の発生を高い精度で速やかに検出するため、異常検出の判定基準を機器の動作状態に応じて切り替え可能とし、各動作状態において必要な電流値にマージンを加えた値を判定基準として設定することがある。【０００９】
例えば、異常検出回路において、機器の最大動作電流を１００％とし、マージン５％を加えて１０５％を異常判定基準とすると、故障発生時の電流が１０５％を越えるような場合でないと異常と判定できない。しかし、最大動作電流の５％の電流のみが常時流れ続けるような故障も発生し得るため、異常検出の判定基準を動作状態に応じて切り替えることで判定の精度を上げることができる。【００１０】
上記のように常時最大動作電流の５％の電流が流れる故障の場合、機器の動作中に動作状態に応じた判定基準を上記の１０５％や、ある程度動作中の電流を想定して５０％等とした場合は、電流のばらつきや判定基準のマージン等に埋もれて異常を検出できない可能性が高いが、機器が待機状態に切り替わる際に判定基準を例えば３％とすると、５％の異常電流が検出可能となる。【００１１】
さらに、特定の動作状態でのみ使われる回路に故障があり、その回路に電源が入った場合のみ過電流が流れるような故障の場合、その回路が使われていない間は異常を検出できず、動作状態が切り替わってその回路が使われるようになると故障箇所に過電流が流れて異常を検出できる可能性が高い。つまり、動作状態の切り替わり時は故障を検出しやすい。【００１２】
以上のことから、機器の動作状態の切り替わり後に異常検出のサンプリングの周期を短くすると、異常検出の応答性が良くなると考えられる。【００１３】
しかしながら、従来技術では電源オフ中のサンプリング周期を一定の条件下で長くすることで電力削減を図っていたため、電源オフ中のみしか電力削減ができず、また、電源オフ中のサンプリング周期を長くすると、電源オフへ切り替え後の異常検出の応答性が悪くなるという課題があった。
【課題を解決するための手段】
【００１４】
本発明の携帯電子機器は、第１及び第２モードで動作する機能部と、前記機能部に供給される電流を測定する電流測定部と、第１周期、前記第１周期より短い第２周期、又は前記第２周期より長い第３周期で前記電流を確認し、電流異常として検出する異常検出部と、を備え、前記機能部が前記第１モードで動作する場合、前記異常検出部は前記第１周期で前記電流を確認し、次に、前記機能部が前記第１モードから前記第２モードへ切り替わる場合、前記異常検出部は前記第２周期で前記電流を確認し、前記モードが切り替わってから所定の期間、前記異常検出部が前記電流異常を検出しない場合、前記異常検出部は前記第３周期で前記電流を確認する。【００１５】
この構成によれば、前記モードの切り替え後、前記モードの切り替え前の前記第１周期よりも短い前記第２周期で前記電流の確認を行うため、前記モードの切り替え後に検出可能となる異常に対する応答性を高くすることができると共に、前記所定の期間内に前記電流異常が検出されない場合、前記第２周期よりも長い前記第３周期で前記電流の確認を行うため、異常検出に必要な消費電力を削減することができる。【００１６】
また、本発明の携帯電子機器は、前記モードが切り替わってから前記所定の期間に、前記異常検出部が前記電流異常を検出する場合、前記異常検出部は、継続して前記第２周期で前記電流を確認する。【００１７】
この構成によれば、前記モードの切り替え後、前記所定の期間内に前記電流異常が検出された場合、前記第１周期および前記第３周期よりも短い前記第２周期を維持するため、異常に対する応答性を高い状態で維持し、以降の異常の進行をより緊密に監視することができる。【００１８】
また、本発明の携帯電子機器は、前記所定の期間を、第１の期間とし、前記モードが切り替わってから前記第１の期間に、前記異常検出部が前記電流異常を検出した後に、前記異常検出部が継続して前期第２周期で前記電流を確認し、その後、前記異常検出部が、第２の期間以上継続的に前記電流異常を検出しない場合、前記異常検出部は前記第３周期で前記電流を確認する。【００１９】
この構成によれば、前記モードの切り替え後の前記第１の期間内に異常があり、前記第１の期間経過後も第２周期を維持している場合に、異常から正常に復帰したことを確認し、前記第２周期より長い前記第３周期で前記電流の確認を行うため、異常検出に必要な消費電力を削減することができる。【００２０】
また、本発明の携帯電子機器は、前記機能部が前記第１モードから第２モードへ切り替わるのは、前記携帯電子機器の電源のオン／オフである。【００２１】
この構成によれば、前記携帯電子機器の電源のオンからオフもしくはオフからオンへの切り替え後の異常に対する応答性を高めると共に、異常検出に必要な消費電力を削減することができる。【００２２】
また、本発明の携帯電子機器は、前記機能部は、表示部、カメラ部、音声入出力部、ネットワーク接続部の少なくとも１つを備え、前記機能部が前記第１モードから第２モードへ切り替わるのは、前記表示部、前記カメラ部、前記音声入出力部、前記ネットワーク接続部の動作状態の変化である。【００２３】
この構成によれば、前記機能部が備える、前記表示部、前記カメラ部、前記音声入出力部、前記ネットワーク接続部の動作状態の変化の動作状態の変化後の異常に対する応答性を高めると共に、異常検出に必要な消費電力を削減することができる。【００２４】
また、本発明の携帯電子機器は、前記電流異常は、前記電流が所定の閾値より大きい。【００２５】
この構成によれば、前記携帯電子機器を構成する回路の故障等のため過電流が発生した際に、電流異常を検出することができる。【００２６】
また、本発明の携帯電子機器は、前記機能部に供給される電流を制限可能なスイッチを備え、前記異常検出部が電流異常を検出した場合に、前記スイッチにより前記電流を制限する。【００２７】
この構成によれば、前記異常検出部が前記電流異常を検出した場合に、前記スイッチにより電流を制限し、発熱や故障の進行を抑制することができる。【００２８】
また、本発明の携帯電子機器は、前記機能部は、前記第１及び第２モードに加え、前記第２モードよりも消費電流の小さい第３モードで動作し、前記異常検出部が前記電流異常を検出した場合、前記機能部は前記第３モードに切り替わる。【００２９】
この構成によれば、前記異常検出部が前記電流異常を検出した場合に、前記機能部を消費電流が少ない前記第３モードに切り替えることで、前記機能部で流れる電流を減らし、発熱や故障の進行を抑制することができる。【００３０】
また、本発明の携帯電子機器は、前記機能部は、表示部又は／及び音出力部を備え、前記異常検出部が前記電流異常を検出した場合、前記表示部又は／及び前記音出力部は、異常を報知する。【００３１】
この構成によれば、前記異常検出部が前記電流異常を検出した場合、前記表示部又は／及び前記音出力部により異常を報知し、ユーザに注意を喚起することができる。【００３２】
また、本発明の携帯電子機器は、前記異常検出部が前記電流異常を検出した場合、前記電流異常の状態を、日時と共に保存する異常状態保存部を備える。【００３３】
この構成によれば、メーカー等での不具合解析の際に、前記異常状態保存部から前記電流異常の状態とその発生日時を読みだすことができ、解析の効率を向上させることができる。【００３４】
また、本発明の携帯電子機器は、電池を備え、前記機能部に供給される電流は、前記電池より供給される。【００３５】
この構成によれば、前記モードの切り替え後、前記所定の期間内に前記電流異常が検出されない場合、前記第２周期よりも長い前記第３周期で前記電流の確認を行い、異常検出に必要な消費電力を削減できるので、前記電池による前記携帯電子機器の駆動時間を長くすることができる。【００３６】
また、本発明の携帯電子機器用の異常検出回路は、第１及び第２モードで動作する外部の機能部および、前記機能部に供給される電流を測定する電流測定部に接続可能であり、前記機能部よりモードの状態が入力されるモード入力部と、前記電流測定部により測定された電流値が入力される電流入力部と、第１周期、前記第１周期より短い第２周期、又は前記第２周期より長い第３周期で前記電流を確認し、電流異常として検出する異常検出部と、を備え、前記機能部が前記第１モードで動作する場合、前記異常検出部は前記第１周期で前記電流を確認し、次に、前記機能部が前記第１モードから前記第２モードへ切り替わる場合、前記異常検出部は前記第２周期で前記電流を確認し、前記モードが切り替わってから所定の期間、前記異常検出部が前記電流異常を検出しない場合、前記異常検出部は前記第３周期で前記電流を確認する。【００３７】
この構成によれば、前記外部の機能部よりモード入力部により前記モードが切り替わったことを入力されると、前記モードの切り替え前の前記第１周期よりも短い前記第２周期で前記電流の確認を行うため、前記モードの切り替え後に検出可能となる異常に対する応答性を高くすることができると共に、前記所定の期間内に前記電流異常が検出されない場合、前記第２周期よりも長い前記第３周期で前記電流の確認を行うため、異常検出に必要な消費電力を削減することができる。【００３８】
また、本発明の携帯電子機器は、第１及び第２モードで動作する機能部と、前記機能部に供給される電流を測定する電流測定部と、第１周期、又は前記第１周期より短い第２周期で前記電流を確認し、前記電流が所定の値以上の場合、電流異常として検出する異常検出部と、を備え、前記機能部が前記第１モードで動作する場合、前記異常検出部は前記第１周期で前記電流を確認し、次に、前記機能部が前記第１モードから前記第２モードへ切り替わる場合、前記異常検出部は前記第２周期で前記電流を確認する。【００３９】
この構成によれば、前記モードの切り替え後、前記モードの切り替え前の前記第１周期よりも短い前記第２周期で前記電流の確認を行うため、前記モードの切り替え後に検出可能となる異常に対する応答性を高くすることができる。
【発明の効果】
【００４０】
本発明の携帯電子機器および異常検出回路によれば、携帯電子機器の機能モードの切り替え後の電流異常に対する応答性を高めて迅速に異常を検出することができると共に、切り替え後の一定期間に電流異常が検出されない場合には、電流異常の検出に必要な消費電力を削減することができる。【００４１】
さらに、電流異常を検出した場合は、電流を制限して発熱や故障の進行を防止すると同時にユーザへの注意喚起や異常内容の保存等を行うことができ、携帯電子機器の安全性を高め、メーカーにおける不具合解析の作業性を高めることができる。
【図面の簡単な説明】
【００４２】
【図１】本発明の実施の形態における携帯電子機器の構成例を示すブロック図
【図２】本発明の実施の形態の携帯電子機器の構成例において異常検出回路を示すブロック図
【発明を実施するための形態】
【００４３】
以下、本発明の実施形態における携帯電子機器および異常検出回路について、図面を参照しながら説明する。
【００４４】
図１は、本発明の実施の形態における携帯電子機器の構成例を示すブロック図である。
【００４５】
携帯電子機器１は、機能部１１と、電池１２と、スイッチ１３と、異常検出部１４１と、スイッチ制御部１４２と、要因レジスタ１４３と、抵抗１５ｎ（ｎ＝１〜４）を含んで構成される。
【００４６】
機能部１１は、プロセッサ１１０と、メモリ１１１と、電源１１２と、電源１１３と、電源１１４と、表示部１１５と、カメラ部１１６と、音声入出力部１１７と、ネットワーク接続部１１８と、音出力部１１９等を含んで構成され、携帯電子機器に備わる各種機能を実行する。なお、プロセッサ１１０と、機能部１１内の各部品への接続については図示を省略する。
【００４７】
プロセッサ１１０は、メモリ１１１に配置されるソフトウェアにより、携帯電子機器に備わる各種機能の実行と周辺部品の制御を統括する。
【００４８】
メモリ１１１は、プロセッサ１１０が実行するソフトウェアやデータの記憶等を行う。
【００４９】
電源１１２、１１３、１１４は、電池１２から供給される電力Ｖｂａｔを元に、プロセッサ１１０やメモリ１１１および、機能部１１内のその他の回路等、携帯電子機器１を構成する各部品に対して、それぞれの部品の仕様に適した電圧に変換した電力を供給する。電源１１２、１１３、１１４は一つの電源用のＬＳＩで構成されても良いし、単品のＬＤＯやＤＣ／ＤＣコンバータ等の部品を用いて構成されても良い。また、電源の数は特に３つである必要は無く、携帯電子機器を構成する各部品に必要な電力が過不足無く供給されれば良い。なお、電源１１２、１１３、１１４から供給される各部品への電力供給路については図示を省略する。
【００５０】
表示部１１５は、液晶等で構成され、ユーザに対し文字や図形等の情報を表示する。カメラ部１１６は、レンズや撮像センサ等により構成され、ユーザ操作により撮影を行う。音声入出力部１１７は、マイクやレシーバ等により構成され、通話時等の音声の入出力を行う。ネットワーク接続部１１８は、アンテナや無線回路、および伝送制御等の回路により構成され、ネットワークとの接続を行う。音出力部１１９は、スピーカ等により構成され、ユーザに着信等を通知する。
【００５１】
電池１２は、携帯電子機器１が必要とする電力を供給する。
【００５２】
スイッチ１３は、電池１２と、プロセッサ１１０を含む機能部１１に供給する電源供給路上に配置し、スイッチ制御部１４２が出力するＶｓｗの電圧に応じて、電池１２が機能部１１等に対して供給する電力Ｖｂａｔを制限する。スイッチ１３は、Ｖｓｗの電圧に応じて抵抗値を変化させられる素子であれば良く、ＭＯＳＦＥＴ等を用いて構成することができる。
【００５３】
抵抗１５ｎは電流測定部として、電池１２と、プロセッサ１１０を含む機能部１１に供給する電源供給路上に配置する。なお、本実施の形態では、抵抗を４つ備えているが、必ずしも４つである必要は無く、電流を測定したい電流経路の数に応じて増減しても良い。
【００５４】
異常検出部１４１は、電流測定部である抵抗１５ｎの両端の電位差を増幅して取得した電流値ＶＩｎと、抵抗１５ｎに対応する閾値Ｉｎを比較し、閾値を越えた場合に、抵抗１５ｎで異常電流を検出したと判定し、異常の発生をスイッチ制御部１４２およびプロセッサ１１０に通知すると共に、要因レジスタ１４３に異常内容を通知する。閾値Ｉｎは、固定でも良いが、プロセッサ１１０から設定できるように構成しても良いし、プロセッサ１１０から通知を受ける機能モードに応じて切り替わるように構成しても良い。閾値Ｉｎを固定とする場合は、抵抗１５ｎが配置される電源供給路上で通常流れる電流よりも少し高い値か、継続すると故障の進行を速める可能性が高いと思われる電流値等を設定する。閾値Inをプロセッサ１１０から設定する場合や機能モードに応じて切り替わるように構成する場合は、その時の使用状況に応じて必要な電流値にマージンを加えた値を設定しても良い。異常電流の検出判定は、例えば３回連続で電流値ＶＩｎが閾値Ｉｎを上回ったら異常と判定するように、複数回の比較結果を用いて判定して、ノイズや一時的な電流変化の影響を抑えるように構成しても良い。
【００５５】
また、異常検出部１４１は、常時電流値ＶＩｎと閾値Ｉｎを比較するのではなく、プロセッサ１１０から通知を受ける機能モードの切り替え状態、および異常電流の検出の有無に応じた周期で電流値ＶＩｎの取得および比較動作等を行う。ここで、異常検出部１４１は、３つ以上の周期を設定可能なように構成し、プロセッサ１１０から機能モードの切り替え通知を受ける前は第１の周期を用い、機能モードの切り替え通知を受けた後は、第１の周期よりも短い第２の周期を一定時間用いて動作し、その間に異常が検出された場合はその後も第２の周期を維持し、異常が検出されなければ、第２の周期よりも長い第３の周期を用いる。
【００５６】
なお、機能モード切り替え後の一定時間内に異常が検出され、その後も第２の周期を維持している場合に、一定時間以上異常が検出されない場合には正常と判定して、第３の周期を用いるように構成しても良い。また、異常から正常に戻ったと判定した場合は、その旨をスイッチ制御部１４２およびプロセッサ１１０等に通知するように構成しても良い。
【００５７】
また、異常検出部１４１は、２つの周期を設定可能なように構成し、プロセッサ１１０から機能モードの切り替え通知を受ける前は第４の周期を用い、切り替えの通知を受けた後は第４の周期より短い第５の周期を用いて、電流値の取得および比較の動作を行うように構成しても良い。
【００５８】
なお、機能モードとしては、機器の電源のオン／オフ状態を用いても良く、また、機能部１１が備える表示部１１５と、カメラ部１１６と、音声入出力部１１７と、ネットワーク接続部１１８と、音出力部１１９等の動作状態を用いても良い。また、機能モードは、プロセッサ１１０ではなく、機能部１１が備える表示部１１５と、カメラ部１１６と、音声入出力部１１７と、ネットワーク接続部１１８と、音出力部１１９等から出力される構成としても良い。
【００５９】
スイッチ制御部１４２は、異常検出部１４１から異常発生通知を受け、Ｖｓｗの電圧を制御してスイッチ１３の抵抗値を変化させる。スイッチ１３の抵抗値を調整することでプロセッサ１１０を含む機能部１１に供給する電力を制限し、異常発生箇所に流れる電流を制限し、発熱を抑制できるように値を設定する。また、異常が発生していない間は、スイッチ１３の抵抗値が一番低い状態になるようにＶｓｗの電圧を制御する。
【００６０】
また、スイッチ制御部１４２は、異常発生通知を受けた後、スイッチ１３によって電流を制限するまでに、プロセッサ１１０がユーザへの注意喚起、機能停止処理、異常内容の保存処理等を行う時間を確保できるように、一定の遅延時間を設けるように構成しても良い。
【００６１】
要因レジスタ１４３は、異常検出部１４１から異常発生時に異常内容の通知を受けてその内容を記憶する。また、プロセッサ１１０と接続され、異常内容を読み出し可能なように構成する。
【００６２】
なお、異常検出部１４１およびスイッチ制御部１４２および要因レジスタ１４３の全部もしくは一部をプロセッサ１１０で動作するソフトウェアで処理するように構成しても良いが、図２に示すように、異常検出部１４１と、スイッチ制御部１４２と、要因レジスタ１４３と、異常検出部用電源１４４と、モード入力部１４５と、電流入力部１５５ｎ（ｎ＝１〜４）を含むように異常検出回路１４を構成し、電池１２とスイッチ１３の間から電力供給を受けるようにしても良い。
【００６３】
異常検出部用電源１４４は、異常検出回路１４内の各回路に適した電圧を供給する。
【００６４】
モード入力部１４５は、機能部１１内のプロセッサ１１０から機能モードの状態の入力を受け、異常検出部に機能モードを出力する。
【００６５】
電流入力部１５５ｎは、抵抗１５ｎから電流値の入力を受け、異常検出部に電流値を出力する。
【００６６】
また、異常検出回路１４をＬＳＩとして集約しても良い。
【００６７】
次に、図１の携帯電子機器１の動作例の詳細を説明する。
【００６８】
説明する動作例としては、機能モードの切り替えとしてカメラ機能をオフからオンに変化させる場合について説明する。また、異常検出部１４１の電流値の取得および閾値比較の動作周期としては、切り替え前のカメラ機能オフ時が１６０［ｍｓ］周期、切り替え後の一定期間内は４０［ｍｓ］周期、前記の一定期間内の判定結果が正常な場合は、その後１６０［ｍｓ］周期とするものとする。また、前記一定期間は３２０［ｍｓ]とする。
【００６９】
また、機能部１１におけるカメラ部１１６の電源は電源１１２が用いられ、本動作例では前記カメラ機能オフ時にはユーザはメニュー操作をしているものとし、抵抗１５２に流れる電流はカメラ部１１６以外で電源１１２が接続されている回路で消費される１５０［ｍＡ］が適当であり、閾値Ｉ２は部品のばらつきや検出誤差等のマージンを見て２００［ｍＡ］に設定するものとする。また、カメラ起動中は、抵抗１５２に流れる電流はカメラ部１１６の動作電流３００［ｍＡ］が加算されて４５０［ｍＡ］が適当であり、閾値Ｉ２は部品のばらつきや検出誤差等のマージンを見て５００［ｍＡ］に設定するものとする。
【００７０】
以降、機能モード切り替え（カメラ機能をオフからオンに切り替え）時の回路の動作について、時系列に沿って説明する。
【００７１】
異常検出部１４１はユーザ操作によりカメラ機能がオンされる前は、１６０［ｍｓ］周期で抵抗１５２からの電流値ＶＩ２の取得および閾値Ｉ２（＝２００［ｍＡ］）との比較動作を行っている。プロセッサ１１０は不図示の操作部からユーザ操作を受けてカメラ部１１６を制御してカメラ機能をオンし、合わせて機能モードが切り替わることを異常検出部１４１に通知する。異常検出部１４１は前記通知を受けて、閾値Ｉ２を５００［ｍＡ］に切り替え、また、前記通知を受けてから３２０［ｍｓ］の間、４０［ｍｓ］周期で電流値ＶＩ２の取得および閾値Ｉ２（＝５００［ｍＡ］）との比較を行う。
【００７２】
カメラ機能をオンした後に抵抗１５２に４５０［ｍＡ］程度の電流が流れ、前記通知を受けてから３２０［ｍｓ］の間に前記比較の結果として正常と判定された場合は、前記通知を受けてから３２０［ｍｓ］経過した後、１６０［ｍｓ］周期で電流値ＶＩ２の取得および閾値Ｉ２（＝５００［ｍＡ］）との比較動作を実施する。
【００７３】
逆に、カメラ機能をオンした後に抵抗１５２に６００［ｍＡ］程度の電流が流れ、前記通知を受けてから３２０［ｍｓ］の間に前記比較の結果として異常と判定された場合は、前記通知を受けてから３２０［ｍｓ］経過した後も４０［ｍｓ］周期で電流値ＶＩ２の取得および閾値Ｉ２（＝５００［ｍＡ］）との比較動作を実施する。また、異常が発生したことをプロセッサ１１０およびスイッチ制御部１４２に通知すると同時に、要因レジスタ１４３に、抵抗１５２にて異常電流が流れたことを通知する。
【００７４】
プロセッサ１１０は、割り込み等で異常発生の通知を受けると、表示部１１５および音出力部１１９等により異常を報知し、ユーザに注意を喚起すると共に、要因レジスタ１４３の内容を読出して抵抗１５２で異常電流を検出したことを判定し、不具合解析に用いる異常内容の保存処理等を行う。異常内容の保存処理において保存する情報としては、異常発生箇所が抵抗１５２であること、発生日時、使用していた機能（今回の例ではカメラ機能オン時であること）等、メーカーがその後の不具合解析で有用な情報であれば良い。保存先としては、異常状態の保存専用の記憶素子を用意しても良いが、コストアップに繋がるため、携帯電子機器が通常一般的に備える不揮発性のメモリ等を使用することでコストアップを抑制することができる。
【００７５】
また、スイッチ制御部１４２は、前記異常発生の通知を受けて、Ｖｓｗの電圧を制御してスイッチ１３の抵抗値を高くして機能部１１に供給する電力を制限し、異常発生箇所に流れる電流を制限し、発熱を抑制できるように値を設定する。なお、前記異常発生の通知を受けた後、例えば０．５［ｓ］は、スイッチ１３の抵抗値を通常使用時と同じ最小の抵抗値を維持して前記の異常内容の保存処理等を行い、０．５［ｓ］経過後はＶｓｗの電圧を制御してスイッチ１３のとり得る最大の抵抗値として、機能部１１に流れる電流を遮断するようにしても良い。
【００７６】
さらに、前記異常発生の通知を受けて、プロセッサ１１０により機能部内の各回路を制御し、カメラ機能をオフしたり、機器の待ち受け状態や電源オフ状態等の消費電流が少ない状態に切り替えたりして、機器の電流を抑えるようにしても良い。
【００７７】
なお、上記のように、カメラ機能をオンした後に抵抗１５２に６００［ｍＡ］程度の電流が流れ、前記通知を受けてから３２０［ｍｓ］の間に前記比較の結果として異常と判定された場合は、前記通知を受けてから３２０［ｍｓ］経過した後も４０［ｍｓ］周期で電流値ＶＩ２の取得および閾値Ｉ２（＝５００［ｍＡ］）との比較動作を実施するが、ここで、一定期間（例えば２００［ｍｓ］以上、４０［ｍｓ］の周期で６回以上）の電流値ＶＩ２の取得および閾値Ｉ２（＝５００［ｍＡ］）との比較動作の結果、正常と判定された場合は、周期を１６０［ｍｓ］に変更するようにしても良い。
【００７８】
以上のような本発明の実施形態にかかる携帯電子機器１および異常検出回路１４によれば、機能モードの切り替え後に電流値の取得および閾値との比較等の周期を短くするため、切り替え後の電流異常に対する応答性を高めて迅速に異常を検出することができる。
【００７９】
また、切り替え後の一定期間に電流異常が検出されない場合には、前記周期を長くすることで、電流異常の検出に必要な消費電力を削減することができる。
【００８０】
さらに、電流異常を検出した場合は、スイッチにより電流を制限して発熱や故障の進行を防止すると同時にユーザへの注意喚起や異常内容の保存等を行うことができ、携帯電子機器の安全性を高め、メーカーにおける不具合解析の作業性を高めることができる。
【００８１】
本発明を詳細にまた特定の実施態様を参照して説明したが、本発明の精神と範囲を逸脱することなく様々な変更や修正を加えることができることは当業者にとって明らかである。
【００８２】
本出願は、２０１０年１２月１６日出願の日本特許出願（特願２０１０−２８０１４２）に基づくものであり、その内容はここに参照として取り込まれる。
【産業上の利用可能性】
【００８３】
本発明は、電子回路の故障等に起因する過電流を、少ない消費電力で高い精度と応答性で検出する携帯電子機器、異常検出回路等として有用である。
【符号の説明】
【００８４】
１    携帯電子機器
１１    機能部
１１０    プロセッサ
１１１    メモリ
１１２    電源
１１３    電源
１１４    電源
１１５    表示部
１１６    カメラ部
１１７    音声入出力部
１１８    ネットワーク接続部
１１９    音出力部
１２    電池
１３    スイッチ
１４    異常検出回路
１４１    異常検出部
１４２    スイッチ制御部
１４３    要因レジスタ
１４４    異常検出部用電源
１４５    モード入力部
１５１    電流検出用の抵抗
１５２    電流検出用の抵抗
１５３    電流検出用の抵抗
１５４    電流検出用の抵抗
１５５１    電流入力部１
１５５２    電流入力部２
１５５３    電流入力部３
１５５４    電流入力部４
【図１】
2012081242.tif 000003
【図２】
2012081242.tif 000004
【手続補正書】
【提出日】平成24年5月9日(2012.5.9)
【手続補正１】
【補正対象書類名】特許請求の範囲
【補正対象項目名】全文
【補正方法】変更
【補正の内容】
【特許請求の範囲】
【請求項１】
第１及び第２モードで動作する機能部と、
前記機能部に供給される電流を測定する電流測定部と、
第１周期、前記第１周期より短い第２周期、又は前記第２周期より長い第３周期で前記電流を確認し、電流異常として検出する異常検出部と、を備え、
前記機能部が前記第１モードで動作する場合、前記異常検出部は前記第１周期で前記電流を確認し、
次に、前記機能部が前記第１モードから前記第２モードへ切り替わる場合、前記異常検出部は前記第２周期で前記電流を確認し、
前記モードが切り替わってから所定の期間、前記異常検出部が前記電流異常を検出しない場合、前記異常検出部は前記第３周期で前記電流を確認する携帯電子機器であって、
前記機能部が前記第１モードから第２モードへ切り替わるのは、前記携帯電子機器の電源が、オンからオフに切り替わる場合である、
携帯電子機器。
【請求項２】
第１及び第２モードで動作する機能部と、
前記機能部に供給される電流を測定する電流測定部と、
第１周期、前記第１周期より短い第２周期、又は前記第２周期より長い第３周期で前記電流を確認し、電流異常として検出する異常検出部と、を備え、
前記機能部が前記第１モードで動作する場合、前記異常検出部は前記第１周期で前記電流を確認し、
次に、前記機能部が前記第１モードから前記第２モードへ切り替わる場合、前記異常検出部は前記第２周期で前記電流を確認し、
前記モードが切り替わってから所定の期間、前記異常検出部が前記電流異常を検出しない場合、前記異常検出部は前記第３周期で前記電流を確認する携帯電子機器であって、
前記機能部は、表示部、カメラ部、音声入出力部、ネットワーク接続部の少なくとも１つを備え、
前記機能部が前記第１モードから第２モードへ切り替わるのは、前記表示部、前記カメラ部、前記音声入出力部、前記ネットワーク接続部の少なくとも１つが、オンからオフに切り替わる場合である、
携帯電子機器。
【請求項３】
請求項１又は請求項２に記載の携帯電子機器であって、
前記モードが切り替わってから前記所定の期間に、前記異常検出部が前記電流異常を検出する場合、前記異常検出部は、継続して前記第２周期で前記電流を確認する、
携帯電子機器。
【請求項４】
請求項３に記載の携帯電子機器であって、
前記所定の期間を、第１の期間とし、
前記モードが切り替わってから前記第１の期間に、前記異常検出部が前記電流異常を検出した後に、前記異常検出部が継続して前記第２周期で前記電流を確認し、
その後、前記異常検出部が、第２の期間以上継続的に前記電流異常を検出しない場合、前記異常検出部は前記第３周期で前記電流を確認する、
携帯電子機器。
【請求項５】
請求項１から請求項４のいずれか１項に記載の携帯電子機器であって、
前記電流異常は、前記電流が所定の閾値より大きい、
携帯電子機器。
【請求項６】
請求項１から請求項５のいずれか１項に記載の携帯電子機器であって、
前記機能部に供給される電流を制限可能なスイッチを備え、
前記異常検出部が電流異常を検出した場合に、前記スイッチにより前記電流を制限する、
携帯電子機器。
【請求項７】
請求項１から請求項５のいずれか１項に記載の携帯電子機器であって、
前記機能部は、前記第１及び第２モードに加え、前記第２モードよりも消費電流の小さい第３モードで動作し、
前記異常検出部が前記電流異常を検出した場合、前記機能部は前記第３モードに切り替わる、
携帯電子機器。
【請求項８】
請求項１から請求項５のいずれか１項に記載の携帯電子機器であって、
前記機能部は、表示部又は／及び音出力部を備え、
前記異常検出部が前記電流異常を検出した場合、前記表示部又は／及び前記音出力部は、異常を報知する、
携帯電子機器。
【請求項９】
請求項１から請求項８のいずれか１項に記載の携帯電子機器であって、
前記異常検出部が前記電流異常を検出した場合、前記電流異常の状態を、日時と共に保存する異常状態保存部を備える、
携帯電子機器。
【請求項１０】
請求項１から請求項９のいずれか１項に記載の携帯電子機器であって、
電池を備え、
前記機能部に供給される電流は、前記電池より供給される、
携帯電子機器。
【請求項１１】
（削除）
【請求項１２】
（削除）
【請求項１３】
（削除）
【国際調査報告】
2012081242.tif 000005
2012081242.tif 000006